(57)【要約】      （修正有）【課題】様々な温室に適用することが可能で、設置も容易な送気装置を提供する。【解決手段】温室内には作物が多数栽培されており、それらの間の適宜位置に、送気装置１００が設置される。送気ダクト１２０を縮めるようにすれば、簡単に温室内を送気装置１００が移動できる。設置後は、送気ダクト１２０を天井の方に伸ばし、その上部開口１２２を所望の高さとする。モーター１３２を駆動して送気ファン１３０を回転させると、温室の天井付近の暖かい空気が、送気ダクト１２０の上部開口１２２から送気ダクト１２０内に吸い込まれるとともに、移動台車１１０の下方から地面側に送出され、移動台車１１０の脚１１６の間から、横方向に送り出される。これにより、温室の天井側の暖かい空気が、温室の地面側の低温の空気に混ざるようになる。【選択図】図１
0003224528.tif 000002
【実用新案登録請求の範囲】
【請求項１】
室内の天井側と地面側にそれぞれ開口を有する送気ダクトと、
この送気ダクトの地面側の開口に設けられており、前記送気ダクトを通じて天井側と地面側との間で送気を行う送気ファンと、
この送気ファンを駆動するための駆動源と、
移動可能に構成されており、前記送気ファンを地面から所定の高さの位置に支持する移動台車と、
を備えたことを特徴とする送気装置。
【請求項２】
前記送気ダクトを伸縮自在としたことを特徴とする請求項１記載の送気装置。
【請求項３】
前記移動台車の脚にキャスタを設けたことを特徴とする請求項１又は２記載の送気装置。
【考案の詳細な説明】
【技術分野】
【０００１】
本考案は、農業用ハウスなどにおいて空気を循環させる送気装置の改良に関する。
【背景技術】
【０００２】
農業用ハウスで使用する送気装置としては、例えば、下記特許文献１記載の「除湿用熱交換装置」がある。これは、２つの熱交換容器を備えており、２つの容器に熱交換を行う伝熱管を設けて、それらの間で熱媒体を循環させている。また、各熱交換容器には、室外と連通する空気出入口を設けており、一方の容器では内部の伝熱管に室内の空気を吹き付ける送風機を設け、他方の容器では容器内に取り入れて伝熱管を通った外気を室内に導入する送付機を設けている。
【０００３】
これによれば、室内の暖かい空気は、一方の送風機の運転により伝熱管部分で熱交換され、冷やされて室外に放出される。これに対し、他方の扇風機の運転により外気が取り入られ、伝熱管部分で熱交換され、温められて温室内に導入される。この結果、温室内の湿った空気が室外に放出されるとともに、室外の乾燥した空気が導入されるようになり、温室内が除湿されるようになる。
【先行技術文献】
【特許文献】
【０００４】
【特許文献１】実開平２−１３４４２２号公報
【考案の概要】
【考案が解決しようとする課題】
【０００５】
ところで、農業用の温室においては、室内の天井側で温度が高く、地面側では温度が低い。このため、天井側の空気を利用して地面側の温度を上げることができると好都合である。また、温室といっても、その面積や高さは様々であることからすると、それらに対応でき、設置が容易なものがあれば、更に好都合である。
【０００６】
本考案は、以上のような点に着目したもので、天井側の空気を利用して地面側の空気の温度を上げることができ、様々な温室に適用することが可能で、設置も容易な送気装置を提供することを、その目的とする。
【課題を解決するための手段】
【０００７】
本考案の送気装置は、室内の天井側と地面側にそれぞれ開口を有する送気ダクトと、この送気ダクトの地面側の開口に設けられており、前記送気ダクトを通じて天井側と地面側との間で送気を行う送気ファンと、この送気ファンを駆動するための駆動源と、移動可能に構成されており、前記送気ファンを地面から所定の高さの位置に支持する移動台車と、を備えたことを特徴とする。主要な形態の一つによれば、前記送気ダクトを伸縮自在としたことを特徴とする。他の形態によれば、前記移動台車の脚にキャスタを設けたことを特徴とする。本考案の前記及び他の目的，特徴，利点は、以下の詳細な説明及び添付図面から明瞭になろう。
【考案の効果】
【０００８】
本考案によれば、移動台車に送気ダクトと送気ファンを設けることとしたので、室内の天井の高さや作物の配置状況に合わせて容易に設置することができ、良好に空気を循環させることができる。
【図面の簡単な説明】
【０００９】
【図１】本考案の一実施例を示す図である。(A)は外観斜視図であり、(B)は主要断面図である。(C)及び(D)は、送気ダクトの伸縮の例を示す。
【図２】前記実施例の使用状態を示す図である。
【考案を実施するための形態】
【００１０】
以下、本考案を実施するための最良の形態を、実施例に基づいて詳細に説明する。
【実施例１】
【００１１】
図１には、本考案の一実施例にかかる送気装置が示されている。同図(A)において、送気装置１００は、移動台車１１０に、送気ダクト１２０や送気ファン１３０が設けられた構造となっている。これらのうち、移動台車１１０は、箱状の外枠１１２の内側であって、地面から適宜の高さに、支持台１１４が設けられており、この支持台１１４上に、送気ダクト１２０や送気ファン１３０が設けられている。送気ダクト１２０の上部開口１２２は天井側を向いており、他方の下部開口は送気ファン１３０に接続されている。
【００１２】
前記移動台車１１０の外枠１１２には、前記送気ファン１３０に通電するための電源スイッチ１４０が設けられている。前記送気ファン１３０には駆動源であるモーター１３２が取り付けられており、電源スイッチ１４０をＯＮとすると、モーター１３２に通電され、送気ファン１３０が回転するようになっている。移動台車１１０の下側には、４本の脚１１６が設けられており、それらの下端にはキャスタ１１８が設けられている。これらのキャスタ１１８により、移動台車１１０が移動可能となっている。上述した送気ダクト１２０は、伸縮自在となっている。同図(B)の送気ダクト１２０Ａは蛇腹式とした例であり、同図(C)の送気ダクト１２０Ｂは内筒と外筒の多重式とした例である。蛇腹式と多重式を組み合わせてもよい。
【００１３】
次に、図２を参照しながら、上記実施例の作用を説明する。図２には、上記送気装置１００を、温室（ビニールハウス）２００内に設置した様子が示されている。同図(A)は温室２００の幅方向を示しており、同図(B)は奥行き方向を示している。温室２００内には、作物２１０が多数栽培されており、それらの間の適宜位置（図示の例では中央）に、送気装置１００が設置されている。送気装置１００は、送気ダクト１２０が伸縮自在であって移動台車１１０にキャスタ１１８が設けられていることから、送気ダクト１２０を縮めるようにすれば、簡単に温室２００内を移動台車１１０は移動することができる。送気装置１００を温室２００内で設置した後は、送気ダクト１２０を天井の方に伸ばし、その上部開口１２２を所望の高さとする。
【００１４】
この状態で電源スイッチ１４０をＯＮとすると、モーター１３２が駆動され、送気ファン１３０が回転する。すると、送気ダクト１２０内の空気が下方に送られるようになる。これにより、温室２００の天井付近の暖かい空気が、送気ダクト１２０の上部開口１２２から送気ダクト１２０内に吸い込まれるとともに、移動台車１１０の下方から地面側に送出され、更には、移動台車１１０の脚１１６の間から側方に送り出される。
【００１５】
以上のような動作により、温室２００の天井側の暖かい空気が、送気ダクト１２０に吸い込まれるとともに、移動台車１１０の下側から側方に送り出され、温室２００の地面側の低温の空気に混ざるようになる。このようにして、温室２００内の天井側の暖かい空気と、地面側の冷たい空気が混ざるようになる。
【００１６】
以上のように、本実施例によれば、移動台車１１０に伸縮自在の送気ダクト１２０と送気ファン１３０を設けた送気装置１００を、温室２００の天井の高さや室内における作物２１０の配置状況に合わせて設置して、温室内における空気の循環を良好に行うことができる。
【００１７】
なお、本考案は、上述した実施例に限定されるものではなく、本考案の要旨を逸脱しない範囲内において種々変更を加えることができる。例えば、以下のものも含まれる。
(1)前記実施例では、送気ダクト１２０を円筒状とし、移動台車１１０を方形状としたが、形状は適宜変更してよい。例えば、送気ダクト１２０を移動台車１１０の形状に合わせて角筒状とする，移動台車１１０を送気ダクト１２０に合わせて円筒状とするといった具合である。
(2)送気ファン１３０の地面からの位置を調整できるようにしてもよい。具体的には、支持台１１４の位置を上下動可能とする，脚１１６を伸縮自在とする，といった具合である。
(3)前記実施例では、モーター１３２を送気ファン１３０の中心に設けたが、ベルト機構などを利用して移動台車１１０の側面に設けるようにしてもよい。
(4)送気ファン１３０を前記実施例と反対に逆回転して、地面側の空気を天井側に送るようにしてもよい。
(5)本考案の動作態様としては、温室２００内の空気を循環させることで、天井側の暖かい空気を利用して地面側を温めるようにしてもよいし、地面側の冷たい空気を利用して天井側を冷やすようにしてもよい。
(6)本考案の適用対象としては、農作物，植物などを栽培する温室ないしビニールハウスが好適な例であるが、工場，倉庫などで使用することを妨げるものではない。
【産業上の利用可能性】
【００１８】
本考案によれば、移動台車に送気ダクトと送気ファンを設けることとしたので、室内の天井の高さや作物の配置状況に合わせて容易に設置することができ、天井側と地面側との間で良好に送気を行うことができるので、様々な温室やビニールハウスに適用することができる。
【符号の説明】
【００１９】
１００：送気装置
１１０：移動台車
１１２：外枠
１１４：支持台
１１６：脚
１１８：キャスタ
１２０，１２０Ａ，１２０Ｂ：送気ダクト
１２２：上部開口
１３０：送気ファン
１３２：モーター
１４０：電源スイッチ
２００：温室
２１０：作物
【図１】
0003224528.tif 000003
【図２】
0003224528.tif 000004